(57)【要約】  複数のニューメロロジーが適用される上り信号の送信タイミング制御を適切に行うことができる。ユーザ端末は、基地局から時間指標を含むＭＡＣ  ＣＥ（Media Access Control Control Element）を受信する受信部と、時間指標に上り信号の信号デザインに対応する粒度を乗算した値に基づいて、上り信号の送信タイミングを調整する制御部と、送信タイミングが調整された上り信号を基地局に送信する送信部と、を有する。
2019087319.tif 000002
【特許請求の範囲】
【請求項１】
基地局から時間指標を含むＭＡＣ  ＣＥ（Media Access Control Control Element）を受信する受信部と、
前記時間指標に上り信号の信号デザインに対応する粒度を乗算した値に基づいて、前記上り信号の送信タイミングを調整する制御部と、
送信タイミングが調整された前記上り信号を前記基地局に送信する送信部と、
を有するユーザ端末。
【請求項２】
前記ＭＡＣ  ＣＥには、前記上り信号の信号デザインを示す情報が含まれ、
前記制御部は、前記時間指標に前記情報に対応する粒度を乗算する、
請求項１に記載のユーザ端末。
【請求項３】
前記上り信号の信号デザインは、前記ＭＡＣ  ＣＥを含む下り信号の信号デザインで指定され、
前記制御部は、前記時間指標に前記下り信号の信号デザインで指定される前記上り信号の信号デザインに対応する粒度を乗算する、
請求項１に記載のユーザ端末。
【請求項４】
前記制御部は、ランダムアクセスプロシージャの後に受信される前記ＭＡＣ  ＣＥに含まれる前記時間指標に、前記ランダムアクセスプロシージャにおいて送信された前記上り信号の信号デザインに対応する粒度を乗算する、
請求項１に記載のユーザ端末。
【請求項５】
前記上り信号に適用され得る信号デザインに対し、各信号デザイン間で異なる粒度を対応付けて記憶する記憶部と、
前記記憶部から、前記上り信号に適用されている信号デザインに対応する粒度を取得する取得部と、
前記記憶部から取得した粒度のうち、最小の粒度を選択する選択部と、をさらに有し、
前記制御部は、前記時間指標に前記最小の粒度を乗算する、
請求項１に記載のユーザ端末。
【請求項６】
基地局から時間指標を含むＭＡＣ  ＣＥ（Media Access Control Control Element）を受信し、
前記時間指標に上り信号の信号デザインに対応する粒度を乗算した値に基づいて、前記上り信号の送信タイミングを調整し、
送信タイミングが調整された前記上り信号を前記基地局に送信する、
送信タイミング制御方法。
【発明の詳細な説明】
【技術分野】
【０００１】
本発明は、ユーザ端末および送信タイミング制御方法に関する。
【背景技術】
【０００２】
ＵＭＴＳ（Universal Mobile Telecommunication System）ネットワークにおいて、更なる高速データレート、低遅延などを目的としてロングタームエボリューション（ＬＴＥ：Long Term Evolution）が仕様化された（非特許文献１）。また、ＬＴＥからの更なる広帯域化および高速化を目的として、ＬＴＥの後継システムも検討されている。ＬＴＥの後継システムには、例えば、ＬＴＥ−Ａ（LTE-Advanced）、ＦＲＡ（Future Radio Access）、５Ｇ（5th generation mobile communication system）、５Ｇ＋（5G plus）、Ｎｅｗ−ＲＡＴ（Radio Access Technology）などと呼ばれるものがある。【０００３】
無線通信システムでは、上り信号のシンボル干渉を抑制するため、タイムアライメント（Time Alignment）が重要となる。非特許文献２，３には、タイムアライメントに用いられるＴＡ（Time Advance）等が規定されている。【０００４】
５Ｇ等の次世代無線通信システムでは、複数のニューメロロジー（Numerology）の導入が検討されている。例えば、次世代無線通信システムの上り信号には、複数のサブキャリアスペーシング（ＳＣＳ：Sub Carrier Spacing）が適用されることが検討されている。
【先行技術文献】
【非特許文献】
【０００５】
【非特許文献１】T.Okuyama et.al.: ”Antenna Deployment for 5G Ultra High-Density Distributed Antenna System at Low SHF Bands” Standards for Communications and Networking (CSCN), 2016, pp. 1-6, Nov. 2016, Berlin, Germany
【０００６】
【非特許文献２】3GPP TS 36.321 v14.3.0, “Evolved Universal Terrestrial Radio Access (E-UTRA); Medium Access Control (MAC) protocol specification (Release 14),” June 2017
【０００７】
【非特許文献３】3GPP TS 36.211 v13.3.0, “Evolved Universal Terrestrial Radio Access (E-UTRA); Physical channels and modulation (Release 13),” September 2016
【発明の概要】
【発明が解決しようとする課題】
【０００８】
しかし、複数のニューメロロジーが適用される上り信号の送信タイミング制御については未だ規定がない。【０００９】
そこで本発明は、複数のニューメロロジーが適用される上り信号の送信タイミング制御を行うユーザ端末および送信タイミング制御方法を提供することを目的とする。
【課題を解決するための手段】
【００１０】
本発明のユーザ端末は、基地局から時間指標を含むＭＡＣ  ＣＥ（Media Access Control Control Element）を受信する受信部と、前記時間指標に上り信号の信号デザインに対応する粒度を乗算した値に基づいて、前記上り信号の送信タイミングを調整する制御部と、送信タイミングが調整された前記上り信号を前記基地局に送信する送信部と、を有する。
【発明の効果】
【００１１】
本発明によれば、複数のニューメロロジーが適用される上り信号の送信タイミング制御を適切に行うことができる。
【図面の簡単な説明】
【００１２】
【図１】第１の実施の形態に係る無線通信システムの構成例を示した図である。
【図２】上り信号のタイムアライメントの一例を説明する図である。
【図３】ＲＡプロシージャの一例を示した図である。
【図４】ＭＡＣ  ＲＡＲのデータ構成例を示した図である。
【図５】ＴＡ  ｃｏｍｍａｎｄ  ＭＡＣ  ＣＥを用いたＴＡ値の通知例を示した図である。
【図６】ＴＡ  ｃｏｍｍａｎｄ  ＭＡＣ  ＣＥのデータ構成例を示した図である。
【図７】ＴＡ  ｃｏｍｍａｎｄの時間への変換を説明する図である。
【図８Ａ】ニューメロロジーの一例を説明する図である。
【図８Ｂ】ニューメロロジーの一例を説明する図である。
【図９】ｇＮＢのブロック構成例である。
【図１０】ＵＥのブロック構成例である。
【図１１】記憶部のデータ構成例を示した図である。
【図１２】上り信号のニューメロロジーに対応したＲＡプロシージャの一例を示した図である。
【図１３】上り信号のニューメロロジーに対応したＴＡ  ｃｏｍｍａｎｄ  ＭＡＣ  ＣＥのデータ構成例を示した図である。
【図１４】上り信号のニューメロロジーに対応したＴＡ  ｃｏｍｍａｎｄ  ＭＡＣ  ＣＥの別のデータ構成例を示した図である。
【図１５】上り信号のニューメロロジーに対応したＴＡ  ｃｏｍｍａｎｄ  ＭＡＣ  ＣＥの別のデータ構成例を示した図である。
【図１６】ＬＣＩＤ値の一例を示した図である。
【図１７】第２の実施の形態に係る無線通信システムの動作例を説明する図である。
【図１８】第３の実施の形態に係る無線通信システムの動作例を説明する図である。
【図１９】第４の実施の形態に係る無線通信システムの動作例を説明する図である。
【図２０Ａ】第５の実施の形態に係る無線通信システムの動作例を説明する図である。
【図２０Ｂ】第５の実施の形態に係る無線通信システムの動作例を説明する図である。
【図２０Ｃ】第５の実施の形態に係る無線通信システムの動作例を説明する図である。
【図２１】本発明の一実施の形態に係るｇＮＢおよびＵＥのハードウェア構成の一例を示した図である。
【発明を実施するための形態】
【００１３】
以下、本発明の実施の形態を、図面を参照して説明する。
【００１４】
（第１の実施の形態）
図１は、第１の実施の形態に係る無線通信システムの構成例を示した図である。図１に示すように、無線通信システムは、ｇＮＢ１と、ＵＥ２ａ，２ｂと、を有している。図１には、ｇＮＢ１が形成または提供するセルＣ１が示してある。
【００１５】
図１に示すｇＮＢ１は、基地局であり、ＵＥ２ａ，２ｂは、例えば、スマートフォンまたはタブレット端末等のユーザ端末である。図１に示す無線通信システムでは、基地局の名称をｇＮＢとしているが、これに限られない。例えば、図１に示す基地局は、ｅＮＢと呼ばれてもよい。
【００１６】
ｇＮＢ１およびＵＥ２ａ，２ｂは、例えば、次世代無線通信システムである５Ｇ（New Radio：ＮＲ）に基づいた無線通信を行う。ｇＮＢ１およびＵＥ２ａ，２ｂの無線通信には、ニューメロロジーが適用され、例えば、ＵＥ２ａ，２ｂの上り信号には、複数のＳＣＳが適用される（例えば、図８Ａ、図８Ｂ参照）。
【００１７】
なお、ニューメロロジーとは、あるＲＡＴ（Radio Access Technology）における信号のデザインまたはＲＡＴのデザインを特徴付ける通信パラメータのセットのことをいう。ここでは、ＳＣＳまたはＯＦＤＭ（Orthogonal Frequency Division Multiplexing）シンボル長を指すものとする。
【００１８】
ｇＮＢ１は、セルＣ１に在圏しているＵＥ２ａ，２ｂから送信される上り信号を受信し、まとめて高速フーリエ変換（ＦＦＴ）を行った後、各ＵＥ２ａ，２ｂの上り信号を復調する。ＵＥ２ａ，２ｂは、セルＣ１内の様々な場所に位置し、例えば、ｇＮＢ１の近傍に位置したり、セルＣ１のセル端に位置したりする。従って、各ＵＥ２ａ，２ｂから上り信号が仮に同時に送信されたとしても、例えば、伝搬遅延に起因して、個々の上り信号は、異なる時間にｇＮＢ１に届く。
【００１９】
ＵＥ２ａの上り信号と、ＵＥ２ｂの上り信号とのｇＮＢ１への到着時間の差が、ＣＰ（Cyclic Prefix）の時間幅を超えると、ＵＥ２ａの上り信号とＵＥ２ｂの上り信号は、シンボル間干渉を起こす可能性がある。この不都合を回避するため、ｇＮＢ１は、ＴＡ（Timing advance）値をＵＥ２ａ，２ｂに通知し、ＵＥ２ａ，２ｂから送信される上り信号が、ｇＮＢ１に同時（略同時を含む）に届くようにする。
【００２０】
図２は、上り信号のタイムアライメントの一例を説明する図である。まず、ｇＮＢ１は、ＵＥ２ａに下り信号を送信する（ステップＳ１）。下り信号は、τの長さの伝搬遅延を持って、ＵＥ２ａに届く（ステップＳ２）。
【００２１】
ＵＥ２ａは、ステップＳ２にて、下り信号を受信すると、上り信号を送信する（ステップＳ３）。上り信号もτの長さの伝搬遅延を持って、ｇＮＢ１に届く。従って、ｇＮＢ１は、ステップＳ１において下り信号を送信した後、２τの期間経過後に、上り信号を受信する（ステップＳ４）。図２には示していないが、ｇＮＢ１は、ステップＳ１の下り信号の送信タイミングと、ＵＥ２ａの上り信号の受信タイミングとの差分（２τ）を測定し、その期間を示すＴＡ値をＵＥ２ａに通知する。
【００２２】
ＵＥ２ａは、自身の基準タイミング（下り受信タイミング）に対して、通知されたＴＡ値の分だけ先行したタイミングで上り信号を送信する（ステップＳ５）。その結果、ｇＮＢ１は、ＵＥ２ａからの上り信号を自身の基準タイミングで受信することができる（ステップＳ６）。
【００２３】
ｇＮＢ１は、上記の処理をＵＥ２ｂに対しても行う。従って、ｇＮＢ１は、ＵＥ２ａ，２ｂから送信される上り信号を同時に受信できる。
【００２４】
ＴＡ値をユーザ端末に通知する方法として、次の２つについて説明する。
１．ＲＡＲ（Random Access Response）
２．ＴＡ  ｃｏｍｍａｎｄ  ＭＡＣ  ＣＥ（Media Access Control Control Element）
【００２５】
まず、ＲＡＲを利用したＴＡ値の通知について説明する。
図３は、ＲＡプロシージャの一例を示した図である。ユーザ端末は、ＲＡプリアンブルとして使用可能なプリアンブルインデックスのうち何れかを選択し、ＲＡプリアンブルを基地局に送信する（Ｍｓｇ１）。プリアンブルインデックスは、ユーザ端末が送信するＲＡプリアンブルの識別子であり、シグネチャと呼ばれる。
【００２６】
基地局は、ＲＡプリアンブルに対する応答であるレスポンスをユーザ端末に送信する（Ｍｓｇ２）。このＲＡレスポンスには、ＴＡ  ｃｏｍｍａｎｄ（ＴＡ値）とＵＬｇｒａｎｔとが含まれている。
【００２７】
ユーザ端末は、ＲＡレスポンスに含まれているプリアンブルインデックス（図示せず）が何であるかを判別することで、送信したＲＡプリアンブルに対する応答を受信できたか否かを判定する。ユーザ端末は、送信したＲＡプリアンブルに対する応答を受信できた場合、ＲＡレスポンスに含まれているＴＡ  ｃｏｍｍａｎｄに基づいて、上り信号の送信タイミングを制御する。
【００２８】
上記のように、ＴＡ値（ＴＡ  ｃｏｍｍａｎｄ）は、ＲＡプロシージャのＭｓｇ２でユーザ端末に通知される。なお、ＴＡ  ｃｏｍｍａｎｄは、インデックスであり、後述するように、時間に変換される（図７参照）。
【００２９】
図４は、ＭＡＣ  ＲＡＲのデータ構成例を示した図である。ＲＡのＭＡＣ  ＰＤＵ（Protocol Data Unit）には、ＭＡＣヘッダと、ＭＡＣヘッダに続くＭＡＣ  ＲＡＲと、が含まれる。
【００３０】
ＭＡＣ  ＲＡＲは、図４に示すように、ＴＡ  ｃｏｍｍａｎｄのフィールド（図４に示すＴｉｍｉｎｇ  Ａｄｖａｎｃｅ  Ｃｏｍｍａｎｄ）を有している。ＴＡ値は、図４に示すＴＡ  ｃｏｍｍａｎｄのフィールドで、基地局からユーザ端末に通知される。ユーザ端末は、基地局から通知されたＭＡＣ  ＲＡＲのＴＡ  ｃｏｍｍａｎｄに基づいて、上り信号の送信タイミングを制御する。
【００３１】
次に、ＴＡ  ｃｏｍｍａｎｄ  ＭＡＣ  ＣＥを利用したＴＡ値の通知について説明する。
図５は、ＴＡ  ｃｏｍｍａｎｄ  ＭＡＣ  ＣＥを用いたＴＡ値の通知例を示した図である。図５に示すように、ＴＡ  ｃｏｍｍａｎｄ  ＭＡＣ  ＣＥは、基地局からユーザ端末に送信される。ＴＡ  ｃｏｍｍａｎｄ  ＭＡＣ  ＣＥには、ＴＡ  ｃｏｍｍａｎｄが含まれており、ＴＡ  ｃｏｍｍａｎｄは、例えば、定期的に基地局からユーザ端末に送信される。
【００３２】
図６は、ＴＡ  ｃｏｍｍａｎｄ  ＭＡＣ  ＣＥのデータ構成例を示した図である。ＴＡ  ｃｏｍｍａｎｄのＭＡＣ  ＰＤＵには、ＭＡＣヘッダと、ＭＡＣヘッダに続くＴＡ  ｃｏｍｍａｎｄ  ＭＡＣ  ＣＥと、ＴＡ  ｃｏｍｍａｎｄ  ＭＡＣ  ＣＥに続くＳＤＵ（Service Data Unit）と、が含まれる。
【００３３】
ＴＡ  ｃｏｍｍａｎｄ  ＭＡＣ  ＣＥは、図６に示すように、ＴＡＧ（TA Group）  ＩＤのフィールドと、ＴＡ  ｃｏｍｍａｎｄのフィールドと、を有している。ＴＡ値は、図６に示すＴＡ  ｃｏｍｍａｎｄのフィールドで、基地局からユーザ端末に通知される。ユーザ端末は、基地局から通知されたＴＡ  ｃｏｍｍａｎｄ  ＭＡＣ  ＣＥのＴＡ  ｃｏｍｍａｎｄに基づいて、上り信号の送信タイミングを制御する。
【００３４】
上記のように、ＴＡ値（ＴＡ  ｃｏｍｍａｎｄ）は、ＴＡ  ｃｏｍｍａｎｄ  ＭＡＣ  ＣＥでユーザ端末に通知される。
【００３５】
図７は、ＴＡ  ｃｏｍｍａｎｄの時間への変換を説明する図である。ユーザ端末は、基地局から通知されたＴＡ  Ｃｏｍｍａｎｄに応じた分だけ先行したタイミングで、上り信号を基地局に送信する。例えば、ユーザ端末は、次の式（１）で示される時間分、上り信号を先行させ基地局に送信する。
【００３６】
Ｔａｄｊ＝（ＮＴＡ＋ＮＴＡ  ｏｆｆｓｅｔ）・Ｔｓ      （１）
【００３７】
式（１）に示すＮＴＡ  ｏｆｆｓｅｔは、上り信号のフレームストラクチャのタイプによって値が変わる。ＮＴＡは、ＴＡ  ｃｏｍｍａｎｄ（インデックス）に対応（比例）した値である。Ｔｓは、インデックス値であるＮＴＡ  ｏｆｆｓｅｔおよびＮＴＡを、時間に変換する値である。Ｔｓは、例えば、次の式（２）で示される。
【００３８】
Ｔｓ＝１／（１５０００×２０４８）      （２）
【００３９】
上記したように、ＴＡ  ｃｏｍｍａｎｄは、基地局から、ＭＡＣ  ＲＡＲまたはＭＡＣ  ＣＥでユーザ端末に送信される。従って、ユーザ端末は、式（１）および式（２）を用いて、上り信号の送信タイミングを調整する時間を算出して、上り信号の送信タイミングを調整できる。
【００４０】
図１で説明したように、ＮＲの無線通信システムでは、上り信号に複数のニューメロロジー（ＳＣＳ）が適用される。
【００４１】
図８Ａおよび図８Ｂは、ニューメロロジーの一例を説明する図である。図８Ａでは、ＵＥ２ａは、上り信号をＰＣｅｌｌ（Primary Cell）でｇＮＢ１に送信している。ＵＥ２ａは、ある時間では、ＰＣｅｌｌの全サブキャリアのＳＣＳをＳＣＳ＃Ｘとし、別の時間では、ＰＣｅｌｌの全サブキャリアのＳＣＳをＳＣＳ＃Ｙとする。すなわち、ＵＥ２ａは、時間によって、ＰＣｅｌｌのサブキャリアのＳＣＳを変更する。ＳＣＳ＃ＸおよびＳＣＳ＃Ｘは、例えば、１５ｋＨｚ、３０ｋＨｚ、６０ｋＨｚ、および１２０ｋＨｚの値をとる（ＳＣＳ＃Ｘ≠ＳＣＳ＃Ｘ）。なお、ＵＥ２ａは、Ｐｃｅｌｌの一部のサブキャリアのＳＣＳをＳＣＳ＃Ｘとし、Ｐｃｅｌｌの他のサブキャリアのＳＣＳをＳＣＳ＃Ｙとしてもよい。
【００４２】
図８Ｂでは、ＵＥ２ｂは、上り信号をＰＣｅｌｌとＳＣｅｌｌ（Secondary Cell）とでｇＮＢ１に送信している。ＵＥ２ｂは、ＰＣｅｌｌのサブキャリアのＳＣＳをＳＣＳ＃Ｘとし、ＳＣｅｌｌのサブキャリアのＳＣＳをＳＣＳ＃Ｙとしている。
【００４３】
図８Ｂでは、ＰＣｅｌｌとＳＣｅｌｌは、同一のＴＡＧに属している。従って、図８Ｂの場合、ＰＣｅｌｌの上り信号と、ＳＣｅｌｌの上り信号は、同じＴＡ  ｃｏｍｍａｎｄに基づいて、送信タイミング制御が行われる。
【００４４】
ここで、上り信号のＯＦＤＭシンボル長は、ＳＣＳに応じて変わる。例えば、ＳＣＳが大きければ、ＯＦＤＭシンボル長は短くなり、ＳＣＳが小さければ、ＯＦＤＭシンボル長は長くなる。
【００４５】
ＯＦＤＭシンボル長の短い上り信号は、ＯＦＤＭシンボル長の長い上り信号に対し、厳しいタイムアライメントが要求される。例えば、あるタイムアライメントのずれに対し、ＯＦＤＭシンボル長の長い上り信号では、シンボル干渉が生じなくても、ＯＦＤＭシンボル長の短い上り信号では、シンボル干渉を生じる場合がある。
【００４６】
そこで、図１に示した無線通信システムでは、ＳＣＳ＃Ｘ，＃Ｙに応じて（ＯＦＤＭシンボル長に応じて）、ＴＡ  ｃｏｍｍａｎｄの粒度（ＴＡ  ｃｏｍｍａｎｄの１インデックスの幅）を変更する。
【００４７】
例えば、図８Ａおよび図８Ｂの例において、「ＳＣＳ＃Ｘ＜ＳＣＳ＃Ｙ」とする。この場合、図１の無線通信システムは、「ＳＣＳ＃Ｘの上り信号のＴＡ  ｃｏｍｍａｎｄの粒度＞ＳＣＳ＃Ｙの上り信号のＴＡ  ｃｏｍｍａｎｄの粒度」とする（すなわち、ＳＣＳ＃Ｘの上り信号のＴＡ  ｃｏｍｍａｎｄの粒度の方がＳＣＳ＃Ｙのそれよりも粗い）。
【００４８】
なお、ＳＣＳ＃Ｘ，＃Ｙに関係なく、同じ粒度のＴＡ  ｃｏｍｍａｎｄを、ＳＣＳ＃Ｘの上り信号と、ＳＣＳ＃Ｙの上り信号とに適用したとする。この場合、例えば、ＳＣＳ＃Ｘの上り信号より短いＯＦＤＭシンボル長のＳＣＳ＃Ｙの上り信号は、細かな時間単位に基づく送信タイミング制御が行われないため、シンボル干渉を生じる可能性がある。
【００４９】
図９は、ｇＮＢ１のブロック構成例である。図９には、ｇＮＢ１に備わる機能部または処理部のうち、実施の形態に関連するものが代表的に示されている。図９に示すように、ｇＮＢ１は、下り信号送信部１１と、上り信号受信部１２と、受信信号復調部１３と、測定部１４と、ＣＣ（Component Carrier）管理部１５と、ＴＡＧ決定部１６と、下り信号生成部１７と、有している。
【００５０】
下り信号送信部１１は、ＵＥ２ａ，２ｂに下り信号を送信する処理を行う。例えば、下り信号送信部１１は、ＴＡ  ｃｏｍｍａｎｄを含むＲＡＲ、ＴＡ  ｃｏｍｍａｎｄを含むＭＡＣ  ＣＥ、およびＲＲＣ（Radio Resource Control）コネクションリコンフィギュレーションのメッセージ等をＵＥ２ａ，２ｂに送信する。
【００５１】
上り信号受信部１２は、ＵＥ２ａ，２ｂからの上り信号を受信する処理を行う。例えば、上り信号受信部１２は、ＲＡプリアンブル、ＰＵＣＣＨ（Physical Uplink Control Channel）、およびＰＵＳＣＨ（Physical Uplink Shared Channel）、ＳＲＳ（Sounding Reference Symbols）等を受信する。
【００５２】
受信信号復調部１３は、受信した信号に含まれている制御データおよびユーザデータを復調する。
【００５３】
測定部１４は、上り信号の受信タイミングまたはＣＣ毎の受信品質等を測定する。
【００５４】
ＣＣ管理部１５は、ＵＥ２ａ，２ｂが現在使用しているＣＣおよびＵＥ２ａ，２ｂに使用可能なＣＣ等を管理する。
【００５５】
ＴＡＧ決定部１６は、測定部１４による測定結果に基づいて、ＴＡＧの変更の要否および変更の仕方を決定する。
【００５６】
下り信号生成部１７は、ＵＥ２ａ，２ｂに送信する下り信号を生成する。例えば、下り信号生成部１７は、ＴＡ  ｃｏｍｍａｎｄを含むＲＡレスポンスおよびＲＲＣコネクションリコンフィギュレーションのメッセージ等を生成する。
【００５７】
図１０は、ＵＥ２ａのブロック構成例である。図１０には、ＵＥ２ａに備わる機能部または処理部のうち、実施の形態に関連するものが代表的に示されている。図１０に示すように、ＵＥ２ａは、上り信号送信部２１と、下り信号受信部２２と、受信信号復調部２３と、測定部２４と、タイミング制御部２５と、上り信号生成部２６と、記憶部２７と、有している。
【００５８】
上り信号送信部２１は、ｇＮＢ１に上り信号を送信する処理を行う。例えば、上り信号送信部２１は、ＲＡプリアンブル、ＰＵＳＣＨ、ＰＵＳＣＨ、およびＳＲＳ等を送信する。
【００５９】
下り信号受信部２２は、ｇＮＢ１からの下り信号を受信する処理を行う。例えば、下り上り信号受信部２２は、ＴＡ  ｃｏｍｍａｎｄを含むＲＡＲ、ＴＡ  ｃｏｍｍａｎｄを含むＭＡＣ  ＣＥ、およびＲＲＣコネクションリコンフィギュレーションのメッセージ等を受信する。
【００６０】
受信信号復調部２３は、受信した信号に含まれている制御データおよびユーザデータを復調する。測定部２４は、下り信号の受信品質等を測定する。受信品質は、例えば、受信信号の復調に使用され、また、ｇＮＢ１に送信される。
【００６１】
タイミング制御部２５は、上り信号の送信タイミングを制御する。例えば、タイミング制御部２５は、ＴＡ  ｃｏｍｍａｎｄおよび以下で説明するＴＡ  ｃｏｍｍａｎｄの粒度に基づいて、上り信号の送信タイミングを制御する。
【００６２】
上り信号生成部２６は、ｇＮＢ１に送信する上り信号を生成する。例えば、上り信号生成部２６は、ＲＡプリアンブル、ＰＵＣＣＨ（Physical Uplink Control Channel）、およびＰＵＳＣＨ（Physical Uplink Shared Channel）、ＳＲＳ等を生成する。
【００６３】
記憶部２７には、ＵＥ２ａが各種動作を行うためのデータが記憶されている。例えば、記憶部２７には、ＳＣＳとＴＡ  ｃｏｍｍａｎｄの粒度とが対応付けて記憶されている。上記では、ＵＥ２ａのブロック構成例について説明したが、ＵＥ２ｂも同様のブロック構成を有する。
【００６４】
図１１は、記憶部２７のデータ構成例を示した図である。図１１に示すように、記憶部２７には、ＳＣＳと、ＴＡ  ｃｏｍｍａｎｄの粒度（図中のＵｎｉｔ）と、が対応して記憶されている。ＴＡ  ｃｏｍｍａｎｄの粒度は、例えば、ＴＡ  ｃｏｍｍａｎｄの最小単位である「１」というインデックスが、どのような値（幅）に変換されるかを示している。
【００６５】
ｇＮＢ１から送信されたＴＡ  ｃｏｍｍａｎｄは、粒度と乗算される。上記したように、ＴＡ  ｃｏｍｍａｎｄは、インデックスであり、粒度が乗算されることによって、１インデックスの幅（粗さ）が変換される。
【００６６】
図１１に示すように、ＴＡ  ｃｏｍｍａｎｄの粒度は、ＳＣＳが大きくなる程小さくなっている。言い換えれば、ＴＡ  ｃｏｍｍａｎｄの粒度は、ＯＦＤＭシンボル長が短くなる程、小さくなっている。
【００６７】
ＲＡＲでのタイミング調整について説明する。
図１２は、上り信号のニューメロロジーに対応したＲＡプロシージャの一例を示した図である。図１１に示すＭｓｇ１およびＭｓｇ２の処理は、図３で説明したＭｓｇ１およびＭｓｇ２の処理と同様であり、その説明を省略する。
【００６８】
ＵＥ２ａは、Ｍｓｇ３の送信に用いた上り信号（ＰＵＳＣＨ）のＳＣＳを判定する。ＵＥ２ａは、記憶部２７を参照して、判定した上り信号のＳＣＳに対応するＴＡ  ｃｏｍｍａｎｄの粒度を取得する。ＵＥ２ａは、記憶部２７を参照して取得した粒度と、Ｍｓｇ２で受信したＴＡ  ｃｏｍｍａｎｄとから、上り信号の送信タイミング調整時間を算出する。ＵＥ２ａは、算出した送信タイミング調整時間で、上り信号の送信タイミングを調整する。上記では、ＵＥ２ａについて説明したが、ＵＥ２ｂについても同様である。
【００６９】
このように、ＵＥ２ａ，２ｂは、ＳＣＳに応じた送信タイミング調整時間を算出し、上り信号の送信タイミングを調整する。
【００７０】
ＴＡ  ｃｏｍｍａｎｄ  ＭＡＣ  ＣＥを用いたタイミング調整について説明する。
図１３は、上り信号のニューメロロジーに対応したＴＡ  ｃｏｍｍａｎｄ  ＭＡＣ  ＣＥのデータ構成例を示した図である。図１３に示すように、ＴＡ  ｃｏｍｍａｎｄ  ＭＡＣ  ＣＥは、ＴＡ  ｃｏｍｍａｎｄのフィールドと、ＳＣＳ  ＩＤのフィールドと、を有している。ＳＣＳ  ＩＤのフィールドには、ＴＡ  ｃｏｍｍａｎｄが適用される上り信号のＳＣＳを識別する識別子が記憶される。
【００７１】
ＵＥ２ａは、例えば、定期的にｇＮＢ１からＴＡ  ｃｏｍｍａｎｄ  ＭＡＣ  ＣＥを受信する。受信したＴＡ  ｃｏｍｍａｎｄ  ＭＡＣ  ＣＥは、図１３に示すようなデータ構成例を有している。
【００７２】
ＵＥ２ａは、ｇＮＢ１からＴＡ  ｃｏｍｍａｎｄ  ＭＡＣ  ＣＥを受信すると、記憶部２７を参照し、受信したＴＡ  ｃｏｍｍａｎｄ  ＭＡＣ  ＣＥに含まれるＳＣＳ  ＩＤに対応するＴＡ  ｃｏｍｍａｎｄの粒度を取得する。例えば、ＴＡ  ｃｏｍｍａｎｄ  ＭＡＣ  ＣＥに含まれるＳＣＳ  ＩＤは、図１１に示したＳＣＳのいずれかを指示しており、ＵＥ２ａは、ＳＣＳ  ＩＤが指示しているＳＣＳに対応するＴＡ  ｃｏｍｍａｎｄの粒度を取得する。なお、ＳＣＳ  ＩＤとＳＣＳ（あるいは、ＳＣＳの上り信号のＴＡ  ｃｏｍｍａｎｄの粒度）との関連付けは、ＲＲＣレイヤやＭＡＣレイヤ、物理レイヤ等のいかなるレイヤで設定できてもよい。
【００７３】
ＵＥ２ａは、記憶部２７を参照して取得した粒度と、ｇＮＢ１から受信したＴＡ  ｃｏｍｍａｎｄ  ＭＡＣ  ＣＥに含まれているＴＡ  ｃｏｍｍａｎｄとから、上り信号の送信タイミング調整時間を算出する。ＵＥ２ａは、算出した送信タイミング調整時間で、上り信号の送信タイミングを調整する。上記では、ＵＥ２ａについて説明したが、ＵＥ２ｂについても同様である。
【００７４】
このように、ＵＥ２ａ，２ｂは、ＳＣＳに応じた送信タイミング調整時間を算出し、上り信号の送信タイミングを調整する。
【００７５】
（変形例１）
図１３では、ＴＡ  ｃｏｍｍａｎｄ  ＭＡＣ  ＣＥに、ＳＣＳ  ＩＤという新たなフィールドを設けた。これに対し、ＴＡ  ｃｏｍｍａｎｄ  ＭＡＣ  ＣＥに、新たなフィールドを設けずに、既存のＴＡ  ｃｏｍｍａｎｄのフィールドの一部を、ＳＣＳを識別する識別子のフィールドとしてもよい。
【００７６】
図１４は、上り信号のニューメロロジーに対応したＴＡ  ｃｏｍｍａｎｄ  ＭＡＣ  ＣＥの別のデータ構成例を示した図である。図１４に示すように、ＭＡＣ  ＣＥは、ＴＡ  ｃｏｍｍａｎｄのフィールドを有している。図１４に示すＭＡＣ  ＣＥでは、ＴＡ  ｃｏｍｍａｎｄのフィールドの一部が、ＳＣＳ  ＩＤを示すフィールドとなっている。例えば、図１４の点線で示すフィールドが、ＳＣＳ  ＩＤを示すフィールドとなっている。
【００７７】
このように、ｇＮＢ１は、既存のＴＡ  ｃｏｍｍａｎｄのフィールドを用いてＳＣＳ  ＩＤをＵＥ２ａ，２ｂに通知してもよい。
【００７８】
（変形例２）
図１５は、上り信号のニューメロロジーに対応したＴＡ  ｃｏｍｍａｎｄ  ＭＡＣ  ＣＥの別のデータ構成例を示した図である。図１５に示すように、ＭＡＣ  ＰＤＵは、ＬＣＩＤ（Logical Channel ID）のフィールドを有している。ＬＣＩＤは、後続のフィールドのデータ種別を示す識別子である。
【００７９】
図１６は、ＬＣＩＤ値の一例を示した図である。図１６に示すＩｎｄｅｘは、ＬＣＩＤの取り得る値を示している。ＬＣＩＤ  ｖａｌｕｅは、ＬＣＩＤのフィールドに続くフィールドのデータ種別を示している。
【００８０】
例えば、ＬＣＩＤが「１１１０１」の場合、ＬＣＩＤの後続のフィールドには、ＴＡＧ  ＩＤおよびＴＡ  ｃｏｍｍａｎｄが格納されることを示す（図１５参照）。また、ＬＣＩＤの後続のフィールドのＴＡＧ  ＩＤおよびＴＡ  ｃｏｍｍａｎｄは、ＳＣＳ＃Ｘの上り信号のＴＡＧ  ＩＤおよびＴＡ  ｃｏｍｍａｎｄであることを示している。
【００８１】
また、例えば、ＬＣＩＤが「１１１００」の場合、ＬＣＩＤの後続のフィールドには、ＴＡＧ  ＩＤおよびＴＡ  ｃｏｍｍａｎｄが格納されることを示す（図１５参照）。また、ＬＣＩＤの後続のフィールドのＴＡＧ  ＩＤおよびＴＡ  ｃｏｍｍａｎｄは、ＳＣＳ＃Ｙの上り信号のＴＡＧ  ＩＤおよびＴＡ  ｃｏｍｍａｎｄであることを示している。
【００８２】
このように、ｇＮＢ１は、ＬＣＩＤを用いて、ＬＣＩＤの後続のフィールドのデータ種別を指定し、ＴＡＧ  ＩＤ、ＴＡ  ｃｏｍｍａｎｄが適用されるＳＣＳを指定してもよい。
【００８３】
なお、図１５では、ＴＡＧ  ＩＤおよびＴＡ  ｃｏｍｍａｎｄは、ＭＡＣ  Ｈｅａｄｅｒに格納されているが、ＭＡＣ  Ｈｅａｄｅｒに続くペイロードのＭＡＣ  ＣＥに格納されてもよい。
【００８４】
（変形例３）
ＳＣＳ  ＩＤは、ＮＷ（Net Work）制御信号でＵＥ２ａ，２ｂに通知されてもよい。例えば、ＳＣＳ  ＩＤは、報知情報、ＲＲＣの個別制御信号を用いて、ＵＥ２ａ，２ｂに通知されてもよい。
【００８５】
以上説明したように、ＵＥ２ａ，２ｂは、上り信号の送信タイミングを調整するＴＡ  ｃｏｍｍａｎｄと、上り信号のＳＣＳを識別する識別情報とを含むＴＡ  ｃｏｍｍａｎｄ  ＭＡＣ  ＣＥをｇＮＢ１から受信する。ＵＥ２ａ，２ｂは、ＴＡ  ｃｏｍｍａｎｄと、ＳＣＳに対応する粒度とを乗算した値に基づいて、上り信号の送信タイミング調整時間を算出する。そして、ＵＥ２ａ，２ｂは、上り信号の送信タイミングを送信タイミング調整時間に基づいて調整し、ｇＮＢ１に送信する。
【００８６】
これにより、ＵＥ２ａ，２ｂは、複数のニューメロロジーが適用される上り信号の送信タイミング制御を適切に行うことができる。
【００８７】
また、図１３に示したように、ＴＡ  ｃｏｍｍａｎｄ  ＭＡＣ  ＣＥに、ＳＣＳ  ＩＤの新たなフィールドを設け、ＳＣＳ  ＩＤをＵＥ２ａ，２ｂに通知することで、無線通信システムは、ＴＡ  ｃｏｍｍａｎｄをダイナミックに変更できる。
【００８８】
また、図１４に示したように、既存のフィールドを用いてＳＣＳ  ＩＤをＵＥ２ａ，２ｂに通知することで、無線通信システムは、ＴＡ  ｃｏｍｍａｎｄをダイナミックに変更できるとともに、データ送信のオーバーヘッドを抑制できる。
【００８９】
また、図１５および図１６に示したように、ＴＡ  ｃｏｍｍａｎｄ  ＭＡＣ  ＣＥに新たなフィールド設けず、ＬＣＩＤを用いてＳＣＳ  ＩＤをＵＥ２ａ，２ｂに通知することで、無線通信システムは、ＴＡ  ｃｏｍｍａｎｄをダイナミックに変更できるとともに、データ送信のオーバーヘッドを抑制できる。
【００９０】
また、ＮＷ制御信号でＳＣＳ  ＩＤをＵＥ２ａ，２ｂに通知することで、無線通信システムは、ＴＡ  ｃｏｍｍａｎｄ  ＭＡＣ  ＣＥをダイナミックに変更できるとともに、データ送信のオーバーヘッドを抑制できる。
【００９１】
（第２の実施の形態）
以下、第２の実施の形態について説明する。第２の実施の形態では、下り信号のＳＣＳで、ＴＡ  ｃｏｍｍａｎｄの粒度を指定する。以下では、第１の実施の形態と異なる部分について説明する。
【００９２】
図１７は、第２の実施の形態に係る無線通信システムの動作例を説明する図である。ｇＮＢ１は、ＴＡ  ｃｏｍｍａｎｄ  ＭＡＣ  ＣＥを含むＰＤＳＣＨのＳＣＳによって、ＴＡ  ｃｏｍｍａｎｄが適用されるＳＣＳの上り信号を指定する。そして、ＵＥ２ａは、受信したＰＤＳＣＨのＳＣＳに基づいて、記憶部２７を参照し、受信したＴＡ  ｃｏｍｍａｎｄ  ＭＡＣ  ＣＥに含まれるＴＡ  ｃｏｍｍａｎｄの粒度を取得する。
【００９３】
例えば、図１７の矢印Ａ１に示すように、ｇＮＢ１は、ＳＣＳ＃ＸのＰＤＳＣＨで、ＴＡ  ｃｏｍｍａｎｄ（ＴＡ  ｃｏｍｍａｎｄ  ＭＡＣ  ＣＥ）をＵＥ２ａに送信する。ＵＥ２ａは、受信したＰＤＳＣＨのＳＣＳ＃Ｘを判定する。ＵＥ２ａは、記憶部２７を参照し、判定したＳＣＳ＃Ｘに対応するＴＡ  ｃｏｍｍｎａｄの粒度を取得する。例えば、ＳＣＳ＃Ｘが「１５ｋＨｚ」の場合、図１１に示した例では、ＵＥ２ａは、粒度「１６＊６４・Ｔｓ」を取得する。これによって、ＵＥ２ａは、ｇＮＢ１から受信したＴＡ  ｃｏｍｍａｎｄと、取得した粒度とから、ＳＣＳ＃Ｘの上り信号の送信タイミング調整時間を算出できる。
【００９４】
また、例えば、図１７の矢印Ａ２に示すように、ｇＮＢ１は、ＳＣＳ＃ＹのＰＤＳＣＨで、ＴＡ  ｃｏｍｍａｎｄをＵＥ２ａに送信する。ＵＥ２ａは、受信したＰＤＳＣＨのＳＣＳ＃Ｙを判定する。ＵＥ２ａは、記憶部２７を参照し、判定したＳＣＳ＃Ｙに対応するＴＡ  ｃｏｍｍｎａｄの粒度を取得する。例えば、ＳＣＳ＃Ｙが「３０ｋＨｚ」の場合、図１１に示した例では、ＵＥ２ａは、粒度「８＊６４・Ｔｓ」を取得する。これによって、ＵＥ２ａは、ｇＮＢ１から受信したＴＡ  ｃｏｍｍａｎｄと、取得した粒度とから、ＳＣＳ＃Ｙの上り信号の送信タイミング調整時間を算出できる。
【００９５】
また、例えば、図１７の矢印Ａ４に示すように、ｇＮＢ１は、ＳＣＳ＃ＹのＰＤＳＣＨで、矢印Ａ２に示したＴＡ  ｃｏｍｍａｎｄとは異なる値のＴＡ  ｃｏｍｍａｎｄをＵＥ２ａに送信する。ＵＥ２ａは、受信したＰＤＳＣＨのＳＣＳ＃Ｙを判定する。ＵＥ２ａは、記憶部２７を参照し、判定したＳＣＳ＃Ｙに対応するＴＡ  ｃｏｍｍｎａｄの粒度を取得する。これによって、ＵＥ２ａは、ＳＣＳ＃Ｙの上り信号の送信タイミング調整時間を更新（変更）できる。
【００９６】
なお、図１７の矢印Ａ３では、ＳＣＳ＃ＸのＰＤＳＣＨの送信が失敗している。この場合、ＵＥ２ａのＳＣＳ＃Ｘの上り信号の送信タイミング調整時間は、更新されない。また、上記では、ＵＥ２ａについて説明したが、ＵＥ２ｂについても同様である。
【００９７】
以上説明したように、ＵＥ２ａ，２ｂは、上り信号の送信タイミングを調整するＴＡ  ｃｏｍｍａｎｄと、上り信号のＳＣＳを識別する識別情報とを含むＴＡ  ｃｏｍｍａｎｄ  ＭＡＣ  ＣＥをｇＮＢ１から受信する。ＵＥ２ａ，２ｂは、ＴＡ  ｃｏｍｍａｎｄ  ＭＡＣ  ＣＥを搬送したＰＤＳＣＨのＳＣＳを判定する。ＵＥ２ａ，２ｂは、ＴＡ  ｃｏｍｍａｎｄと、判定したＳＣＳに対応する粒度とを乗算した値に基づいて、上り信号の送信タイミング調整時間を算出する。そして、ＵＥ２ａ，２ｂは、上り信号の送信タイミングを送信タイミング調整時間に基づいて調整し、ｇＮＢ１に送信する。
【００９８】
これにより、ＵＥ２ａ，２ｂは、複数のニューメロロジーが適用される上り信号の送信タイミング制御を適切に行うことができる。また、無線通信システムは、ＴＡ  ｃｏｍｍａｎｄをダイナミックに変更できる。また、無線通信システムは、ＴＡ  ｃｏｍｍａｎｄ  ＭＡＣ  ＣＥにＳＣＳ  ＩＤを通知するための新たなフィールドを設けずに済むので、データ送信のオーバーヘッドを抑制できる。
【００９９】
なお、上記では、ＵＥ２ａ，２ｂは、受信したＰＤＳＣＨのＳＣＳに基づいて、受信したＴＡ  ｃｏｍｍａｎｄ  ＭＡＣ  ＣＥに含まれるＴＡ  ｃｏｍｍａｎｄの粒度を取得したが、これに限られない。例えば、ＵＥ２ａ，２ｂは、ＢＷＰ（BandWidth Parts）またはＰＤＳＣＨに対応するＰＤＣＣＨのＳＣＳに基づいて、ＴＡ  ｃｏｍｍａｎｄの粒度を取得してもよい。
【０１００】
また、ＰＤＣＳＨのＨＡＲＱ（Hybrid ARQ）再送が、異なるＳＣＳで行われる場合には、ＵＥ２ａ，２ｂは、初送のＨＡＲＱのＳＣＳでＴＡ  ｃｏｍｍａｎｄの粒度を取得してもよい。
【０１０１】
（第３の実施の形態）
以下、第３の実施の形態について説明する。第３の実施の形態では、ＵＥ２ａ，２ｂは、ＲＡプロシージャ後に通知されるＴＡ  ｃｏｍｍａｎｄの粒度を、最近の（最後に実施した）ＲＡプロシージャにおいてｇＮＢ１に送信したＭｓｇ３のＳＣＳに基づいて取得する。以下では、第１の実施の形態と異なる部分について説明する。
【０１０２】
図１８は、第３の実施の形態に係る無線通信システムの動作例を説明する図である。図１８には、ＲＡプロシージャＰ１，Ｐ２が示してある。ＵＥ２ａは、ＲＡプロシージャＰ１，Ｐ２後に通知されるＴＡ  ｃｏｍｍａｎｄの粒度を、最近のＲＡプロシージャＰ１，Ｐ２にて送信したＭｓｇ３のＳＣＳに基づいて取得する。
【０１０３】
例えば、ＵＥ２ａは、矢印Ａ１１に示すように、ＲＡプロシージャＰ１のＭｓｇ３を、ＳＣＳ＃ＸのＰＵＳＣＨで送信する。ＵＥ２ａは、Ｍｓｇ３を送信したＰＵＳＣＨのＳＣＳ＃Ｘを、記憶部２７に記憶する。
【０１０４】
ＵＥ２ａは、図１８の矢印Ａ１２に示すように、ｇＮＢ１からＴＡ  ｃｏｍｍａｎｄ（ＴＡ  ｃｏｍｍａｎｄ  ＭＡＣ  ＣＥ）を受信する。この場合、ＵＥ２ａは、記憶部２７に記憶されているＳＣＳ＃Ｘ（最近のＲＡプロシージャＰ１で送信したＭｓｇ３のＳＣＳ）を取得する。ＵＥ２ａは、記憶部２７を参照し（例えば、図１１を参照）、取得したＳＣＳ＃Ｘに対応するＴＡ  ｃｏｍｍａｎｄの粒度を取得する。これによって、ＵＥ２ａは、ｇＮＢ１から受信したＴＡ  ｃｏｍｍａｎｄと、取得した粒度とから、ＳＣＳ＃Ｘの上り信号の送信タイミング調整時間を算出できる。
【０１０５】
また、例えば、ＵＥ２ａは、矢印Ａ１３に示すように、ＲＡプロシージャＰ２のＭｓｇ３を、ＳＣＳ＃ＹのＰＵＳＣＨで送信する。ＵＥ２ａは、Ｍｓｇ３を送信したＰＵＳＣＨのＳＣＳ＃Ｙを、記憶部２７に記憶する。
【０１０６】
ＵＥ２ａは、図１８の矢印Ａ１４に示すように、ｇＮＢ１からＴＡ  ｃｏｍｍａｎｄ（ＴＡ  ｃｏｍｍａｎｄ  ＭＡＣ  ＣＥ）を受信する。この場合、ＵＥ２ａは、記憶部２７に記憶されているＳＣＳ＃Ｙ（最近のＲＡプロシージャＰ２で送信したＭｓｇ３のＳＣＳ）を取得する。ＵＥ２ａは、記憶部２７を参照し（例えば、図１１を参照）、取得したＳＣＳ＃Ｙに対応するＴＡ  ｃｏｍｍａｎｄの粒度を取得する。これによって、ＵＥ２ａは、ｇＮＢ１から受信したＴＡ  ｃｏｍｍａｎｄと、取得した粒度とから、ＳＣＳ＃Ｙの上り信号の送信タイミング調整時間を算出できる。上記では、ＵＥ２ａについて説明したが、ＵＥ２ｂについても同様である。
【０１０７】
以上説明したように、ＵＥ２ａ，２ｂは、最近のＲＡＰにおいてｇＮＢ１に送信したＭｓｇ３のＳＣＳを記憶する。ＵＥ２ａ，２ｂは、ＲＡＰ後に、ＴＡ  ｃｏｍｍａｎｄを含むＴＡ  ｃｏｍｍａｎｄ  ＭＡＣ  ＣＥをｇＮＢ１から受信する。ＵＥ２ａ，２ｂは、受信したＴＡ  ｃｏｍｍａｎｄと、記憶したＭｓｇ３のＳＣＳに対応する粒度とを乗算した値に基づいて、上り信号の送信タイミング調整時間を算出する。そして、ＵＥ２ａ，２ｂは、上り信号の送信タイミングを送信タイミング調整時間に基づいて調整し、ｇＮＢ１に送信する。
【０１０８】
これにより、ＵＥ２ａ，２ｂは、複数のニューメロロジーが適用される上り信号の送信タイミング制御を適切に行うことができる。また、無線通信システムは、ＴＡ  ｃｏｍｍａｎｄをダイナミックに変更できる。また、無線通信システムは、ＴＡ  ｃｏｍｍａｎｄ  ＭＡＣ  ＣＥにＳＣＳ  ＩＤを通知するための新たなフィールドを設けずに済むので、データ送信のオーバーヘッドを抑制できる。
【０１０９】
（第４の実施の形態）
以下、第４の実施の形態について説明する。第４の実施の形態では、ＭＡＣ  ＰＤＵに含まれるＴＡ  ｃｏｍｍａｎｄ  ＭＡＣ  ＣＥの多重数で、ＴＡ  ｃｏｍｍａｎｄの粒度を指定する。以下では、第１の実施の形態と異なる部分について説明する。
【０１１０】
図１９は、第４の実施の形態に係る無線通信システムの動作例を説明する図である。図１９には、ＭＡＣ  ＰＤＵ３１，３２が示してある。ＵＥ２ａは、ＭＡＣ  ＰＤＵ３１，３２に含まれるＴＡ  ｃｏｍｍａｎｄ  ＭＡＣ  ＣＥの多重数に基づいて、ＴＡ  ｃｏｍｍａｎｄの粒度を取得する。なお、記憶部２７には、ＴＡ  ｃｏｍｍａｎｄ  ＭＡＣ  ＣＥの多重数と、ＴＡ  ｃｏｍｍａｎｄの粒度とが対応付けて記憶されている。例えば、図１１に示す「ＳＣＳ」の欄は、ＴＡ  ｃｏｍｍａｎｄ  ＭＡＣ  ＣＥの多重数となる。
【０１１１】
例えば、図１９の矢印Ａ２１に示すように、ｇＮＢ１は、ＴＡ  ｃｏｍｍａｎｄをＵＥ２ａに送信する。このとき、ｇＮＢ１は、ＭＡＣ  ＰＤＵ３１に示すように、１つのＴＡ  ｃｏｍｍａｎｄ  ＭＡＣ  ＣＥを含め（多重数１）、ＵＥ２ａに送信する。
【０１１２】
ＵＥ２ａは、受信したＭＡＣ  ＰＤＵ３１に含まれているＴＡ  ｃｏｍｍａｎｄ  ＭＡＣ  ＣＥの多重数を判定する。ＭＡＣ  ＰＤＵ３１には、１つのＴＡ  ｃｏｍｍａｎｄ  ＭＡＣ  ＣＥが含まれているので、多重数１と判定する。ＵＥ２ａは、記憶部２７を参照し、判定した多重数１に対応するＴＡ  ｃｏｍｍａｎｄの粒度を取得する。これによって、ＵＥ２ａは、ｇＮＢ１から受信したＴＡ  ｃｏｍｍａｎｄと、取得した粒度とから、例えば、ＳＣＳ＃Ｘの上り信号の送信タイミング調整時間を算出できる。
【０１１３】
また、例えば、図１９の矢印Ａ２２に示すように、ｇＮＢ１は、ＴＡ  ｃｏｍｍａｎｄをＵＥ２ａに送信する。このとき、ｇＮＢ１は、ＭＡＣ  ＰＤＵ３２に示すように、２つのＴＡ  ｃｏｍｍａｎｄ  ＭＡＣ  ＣＥを含め（多重数２）、ＵＥ２ａに送信する。なお、ＭＡＣ  ＰＤＵ３２に多重されるＴＡ  ｃｏｍｍａｎｄ  ＭＡＣ  ＣＥには、同じＴＡ  ｃｏｍｍａｎｄが格納される。
【０１１４】
ＵＥ２ａは、受信したＭＡＣ  ＰＤＵ３２に含まれているＴＡ  ｃｏｍｍａｎｄ  ＭＡＣ  ＣＥの多重数を判定する。ＭＡＣ  ＰＤＵ３２には、２つのＴＡ  ｃｏｍｍａｎｄ  ＭＡＣ  ＣＥが含まれているので、多重数２と判定する。ＵＥ２ａは、記憶部２７を参照し、判定した多重数２に対応するＴＡ  ｃｏｍｍａｎｄの粒度を取得する。これによって、ＵＥ２ａは、ｇＮＢ１から受信したＴＡ  ｃｏｍｍａｎｄと、取得した粒度とから、例えば、ＳＣＳ＃Ｙの上り信号の送信タイミング調整時間を算出できる。上記では、ＵＥ２ａについて説明したが、ＵＥ２ｂについても同様である。
【０１１５】
以上説明したように、ＵＥ２ａ，２ｂは、ＭＡＣ  ＰＤＵに含まれるＴＡ  ｃｏｍｍａｎｄ  ＭＡＣ  ＣＥの多重数で、ＴＡ  ｃｏｍｍａｎｄの粒度を取得する。ＵＥ２ａ，２ｂは、ＴＡ  ｃｏｍｍａｎｄ  ＭＡＣ  ＣＥで受信したＴＡ  ｃｏｍｍａｎｄと、取得したＴＡ  ｃｏｍｍａｎｄの粒度とを乗算した値に基づいて、上り信号の送信タイミング調整時間を算出する。そして、ＵＥ２ａ，２ｂは、上り信号の送信タイミングを送信タイミング調整時間に基づいて調整し、ｇＮＢ１に送信する。
【０１１６】
これにより、ＵＥ２ａ，２ｂは、複数のニューメロロジーが適用される上り信号の送信タイミング制御を適切に行うことができる。また、無線通信システムは、ＴＡ  ｃｏｍｍａｎｄをダイナミックに変更できる。
【０１１７】
なお、ｇＮＢ１は、ＭＩＭＯ（Multiple-Input and Multiple-Output）およびＣＡ（Carrier Aggregation）の両方または一方を用いて、同一タイミングで複数のＭＡＣ  ＰＤＵを送信できる場合には、各ＭＡＣ  ＰＤＵに１つのＴＡ  ｃｏｍｍａｎｄ  ＭＡＣ  ＣＥを含めてもよい。ＵＥ２ａ，２ｂは、同一タイミングで受信したＴＡ  ｃｏｍｍａｎｄ  ＭＡＣ  ＣＥの数によって、ＴＡ  ｃｏｍｍａｎｄの粒度を取得してもよい。
【０１１８】
（第５の実施の形態）
以下、第５の実施の形態について説明する。第５の実施の形態では、ＵＥ２ａ，２ｂは、上り信号の送信に用いている複数のＳＣＳに対応する粒度を取得し、取得した粒度のうち、最も小さい粒度を選択する。ＵＥ２ａ，２ｂは、選択した粒度と、ＴＡ  ｃｏｍｍａｎｄとから、上り信号の送信タイミング調整時間を算出する。以下では、第１の実施の形態と異なる部分について説明する。
【０１１９】
図２０Ａ、図２０Ｂ、および図２０Ｃは、第５の実施の形態に係る無線通信システムの動作例を説明する図である。図２０Ａでは、ＵＥ２ａは、上り信号をＰＣｅｌｌでｇＮＢ１に送信している。ＵＥ２ａは、ある時間では、ＰＣｅｌｌの全サブキャリアのＳＣＳをＳＣＳ＃１５ｋＨｚとし、別の時間では、ＰＣｅｌｌの全サブキャリアのＳＣＳをＳＣＳ＃３０ＫＨｚとする。すなわち、ＵＥ２ａは、時間によって、ＰＣｅｌｌのサブキャリアのＳＣＳを変更する。なお、ＵＥ２ａは、Ｐｃｅｌｌの一部のサブキャリアのＳＣＳをＳＣＳ＃１５ｋＨｚとし、Ｐｃｅｌｌの他のサブキャリアのＳＣＳをＳＣＳ＃３０ｋＨｚとしてもよい。
【０１２０】
ＵＥ２ａは、記憶部２７を参照し、ＳＣＳ＃１５ｋＨｚに対応する粒度と、ＳＣＳ＃３０ｋＨｚに対応する粒度とを取得する。ＵＥ２ａは、取得した粒度のうち、最も小さい粒度を選択する。図２０Ａの場合、ＵＥ２ａは、ＳＣＳ＃３０ｋＨｚに対応する粒度を選択する。ＵＥ２ａは、ＴＡ  ｃｏｍｍａｎｄ  ＭＡＣ  ＣＥによって、ＴＡ  ｃｏｍｍａｎｄが通知されると、選択した粒度と、通知されたＴＡ  ｃｏｍｍａｎｄとを用いて、上り信号の送信タイミング調整時間を算出する。
【０１２１】
ＳＣＳ＃１５ｋＨｚの上り信号は、ＳＣＳ＃３０ｋＨｚの上り信号より、ＯＦＤＭシンボル長が長く、粗い粒度で送信タイミング調整時間が算出されてもよい。しかし、ＵＥ２ａは、細かい粒度に基づく送信タイミング調整時間が要求されるＳＣＳ＃３０ｋＨｚの粒度に合わせ、送信タイミング調整時間を算出する。これによって、ＵＥ２ａは、ｇＮＢ１から受信したＴＡ  ｃｏｍｍａｎｄと、選択した粒度とから、上り信号の送信タイミング調整時間を算出できる。
【０１２２】
図２０Ｂでは、ＵＥ２ａは、上り信号をＰＣｅｌｌとＳＣｅｌｌとでｇＮＢ１に送信している。ＵＥ２ａは、ＰＣｅｌｌのサブキャリアのＳＣＳをＳＣＳ＃１５ｋＨｚとし、ＳＣｅｌｌのサブキャリアのＳＣＳをＳＣＳ＃３０ｋＨｚとしている。
【０１２３】
図２０Ｂでは、ＰＣｅｌｌとＳＣｅｌｌは、同一のＴＡＧに属している。従って、図２０Ｂの場合、ＰＣｅｌｌの上り信号と、ＳＣｅｌｌの上り信号は、同じＴＡ  ｃｏｍｍａｎｄに基づいて、送信タイミング制御が行われる。
【０１２４】
ＵＥ２ａは、記憶部２７を参照し、同一ＴＡＧに属しているＳＣＳ＃１５ｋＨｚに対応する粒度と、ＳＣＳ＃３０ｋＨｚに対応する粒度とを取得する。ＵＥ２ａは、取得した粒度のうち、最も小さい粒度を選択する。図２０Ｂの場合、ＵＥ２ａは、ＳＣＳ＃３０ｋＨｚに対応する粒度を選択する。ＵＥ２ａは、ＴＡ  ｃｏｍｍａｎｄ  ＭＡＣ  ＣＥによって、ＴＡ  ｃｏｍｍａｎｄが通知されると、選択した粒度と、通知されたＴＡ  ｃｏｍｍａｎｄとを用いて、上り信号の送信タイミング調整時間を算出する。これによって、ＵＥ２ａは、ｇＮＢ１から受信したＴＡ  ｃｏｍｍａｎｄと、選択した粒度とから、上り信号の送信タイミング調整時間を算出できる。
【０１２５】
図２０Ｃでは、ＵＥ２ａは、上り信号をＰＣｅｌｌと、３つのＳＣｅｌｌとでｇＮＢ１に送信している。ＵＥ２ａは、ＰＣｅｌｌのサブキャリアのＳＣＳをＳＣＳ＃１５ｋＨｚとし、ＳＣｅｌｌのサブキャリアのＳＣＳを、図中左側からＳＣＳ＃３０ｋＨｚ、６０ｋＨｚ、３０ｋＨｚとしている。
【０１２６】
図２０Ｃでは、ＰＣｅｌｌと、３つのＳＣｅｌｌのうちの左側のＳＣｅｌｌは、同一のｐＴＡＧに属している。従って、図２０Ｃの場合、ＰＣｅｌｌの上り信号と、左側のＳＣｅｌｌの上り信号は、同じＴＡ  ｃｏｍｍａｎｄに基づいて、送信タイミング制御が行われる。また、３つのＳＣｅｌｌの真ん中のＳＣｅｌｌと、右側のＳＣｅｌｌは、同一のｓＴＡＧに属している。従って、図２０Ｃの場合、真ん中のＳＣｅｌｌの上り信号と、右側のＳＣｅｌｌの上り信号は、同じＴＡ  ｃｏｍｍａｎｄに基づいて、送信タイミング制御が行われる。
【０１２７】
ＵＥ２ａは、記憶部２７を参照し、ｐＴＡＧに属しているＳＣＳ＃１５ｋＨｚに対応する粒度と、ＳＣＳ＃３０ｋＨｚに対応する粒度とを取得する。ＵＥ２ａは、取得した粒度のうち、最も小さい粒度を選択する。図２０Ｃの場合、ＵＥ２ａは、ＳＣＳ＃３０ｋＨｚに対応する粒度を選択する。ＵＥ２ａは、ＴＡ  ｃｏｍｍａｎｄ  ＭＡＣ  ＣＥによって、ＴＡ  ｃｏｍｍａｎｄが通知されると、選択した粒度と、通知されたＴＡ  ｃｏｍｍａｎｄとを用いて、上り信号の送信タイミング調整時間を算出する。これによって、ＵＥ２ａは、ｇＮＢ１から受信したＴＡ  ｃｏｍｍａｎｄと、選択した粒度とから、ｐＴＡＧの上り信号の送信タイミング調整時間を算出できる。
【０１２８】
また、ＵＥ２ａは、記憶部２７を参照し、ｓＴＡＧに属しているＳＣＳ＃６０ｋＨｚに対応する粒度と、ＳＣＳ＃３０ｋＨｚに対応する粒度とを取得する。ＵＥ２ａは、取得した粒度のうち、最も小さい粒度を選択する。図２０Ｃの場合、ＵＥ２ａは、ＳＣＳ＃６０ｋＨｚに対応する粒度を選択する。ＵＥ２ａは、ＴＡ  ｃｏｍｍａｎｄ  ＭＡＣ  ＣＥによって、ＴＡ  ｃｏｍｍａｎｄが通知されると、選択した粒度と、通知されたＴＡ  ｃｏｍｍａｎｄとを用いて、上り信号の送信タイミング調整時間を算出する。これによって、ＵＥ２ａは、ｇＮＢ１から受信したＴＡ  ｃｏｍｍａｎｄと、選択した粒度とから、ｓＴＡＧの上り信号の送信タイミング調整時間を算出できる。
【０１２９】
なお、図２０Ｃでは、ｐＴＡＧおよびｓＴＡＧのそれぞれにおいて、最も小さい粒度を選択したが、ｐＴＡＧおよびｓＴＡＧの全体で、最も小さい粒度を選択してもよい。また、Ｄｅａｃｔｉｖｅ状態のセルまたはＢＷＰは、考慮されなくてもよい。また、上記では、ＵＥ２ａについて説明したが、ＵＥ２ｂについても同様である。
【０１３０】
また、記憶部２７の「最も小さい粒度」が、ＲＲＣレイヤ等の上位レイヤにおける設定変更（例えば、RRC connection reconfigruation）によって変更されてもよい。この場合、ＵＥ２ａ，２ｂは、当該変更指示を受けたタイミングから、「最も小さい粒度」を含めた粒度の中から、粒度を選択してもよい。また、当該変更指示に対する確認応答（L1-ACK or L2-ACK （e.g. RLC-ACK） or L3 ACK（e.g., RRC connection reconfigruation complete））を送信したタイミングから（または、さらにそれに対する確認応答を受けたタイミングから）、「最も小さい粒度」を含めた粒度の中から、粒度を選択してもよい。
【０１３１】
以上説明したように、ＵＥ２ａ，２ｂは、上り信号のＴＡ  ｃｏｍｍａｎｄを含むＴＡ  ｃｏｍｍａｎｄ  ＭＡＣ  ＣＥをｇＮＢ１から受信する。ＵＥ２ａ，２ｂは、上り信号に適用され得るＳＣＳと、ＴＡ  ｃｏｍｍａｎｄとを対応付けた記憶部から、上り信号に適用されているＳＣＳに対応する粒度を取得する。ＵＥ２ａ，２ｂは、取得した粒度のうち最小の粒度を選択する。ＵＥ２ａ，２ｂは、ｇＮＢ１から受信したＴＡ  ｃｏｍｍａｎｄと、選択した最小の粒度とを乗算した値に基づいて、上り信号の送信タイミング調整時間を算出する。そして、ＵＥ２ａ，２ｂは、上り信号の送信タイミングを送信タイミング調整時間に基づいて調整し、ｇＮＢ１に送信する。
【０１３２】
これにより、ＵＥ２ａ，２ｂは、複数のニューメロロジーが適用される上り信号の送信タイミング制御を適切に行うことができる。また、無線通信システムは、ＴＡ  ｃｏｍｍａｎｄをダイナミックに変更できるとともに、データ送信のオーバーヘッドを抑制できる。
【０１３３】
（変形例１）
ＵＥ２ａ，２ｂは、論理チャネルまたはＳＣＳ（ニューメロロジー）と関連付けられているデータのＱｏＳまたは優先度に応じて、粒度を決定してもよい。例えば、ＭＡＣレイヤでは、論理チャネルとＳＣＳを、ＲＲＣレイヤの信号を基に関連付けることが規定される。従って、ＵＥ２ａ，２ｂは、論理チャネルまたはＳＣＳと関連付けられているデータのＱｏＳまたは優先度に応じて、適用すべき粒度を決定してもよい。
【０１３４】
これにより、ＵＥ２ａ，２ｂは、複数のニューメロロジーが適用される上り信号の送信タイミング制御を適切に行うことができる。また、無線通信システムは、ＴＡ  ｃｏｍｍａｎｄをダイナミックに変更できるとともに、データ送信のオーバーヘッドを抑制できる。
【０１３５】
（変形例２）
ＵＥ２ａ，２ｂは、送信頻度の高い上り信号のＳＣＳの粒度を用いてもよい。例えば、ＵＥ２ａ，２ｂは、各ＳＣＳにおける上り信号の送信頻度を計測し、頻度の高いＳＣＳの粒度を用いてもよい。
【０１３６】
これにより、ＵＥ２ａ，２ｂは、複数のニューメロロジーが適用される上り信号の送信タイミング制御を適切に行うことができる。また、無線通信システムは、ＴＡ  ｃｏｍｍａｎｄをダイナミックに変更できるとともに、データ送信のオーバーヘッドを抑制できる。また、ＵＥ２ａ，２ｂは、ＳＣＳの頻度に応じた粒度を用いて、上り信号の送信タイミング調整時間を算出できる。
【０１３７】
以上、各実施の形態について説明した。上記では、ＳＣＳに基づいて（ＳＣＳをキーとして）、粒度を選択したが、ＯＦＤＭシンボル長に基づいて、粒度を選択してもよい。
【０１３８】
（複数のＴＡ  ｃｏｍｍａｎｄがＵＥに同時に通知される場合）
ＵＥ２ａは、ｇＮＢ１から、２つのＴＡ  ｃｏｍｍａｎｄが同時に通知される場合がある。例えば、  ＴＡ  ｃｏｍｍａｎｄ  ＭＡＣ  ＣＥには、２つのＳＣＳ  ＩＤと、２つのＳＣＳ  ＩＤのそれぞれに対応する２つのＴＡ  ｃｏｍｍａｎｄとが格納される場合がある。この場合、ＵＥ２ａは、ｇＮＢ１から、２つのＳＣＳ  ＩＤと、２つのＴＡ  ｃｏｍｍａｎｄとを同時に受信する。
【０１３９】
２つのＴＡ  ｃｏｍｍａｎｄを同時に受信した場合、２つのＴＡ  ｃｏｍｍａｎｄのそれぞれの粒度が異なる場合がある。ＵＥ２ａは、ＴＡ  ｃｏｍｍａｎｄの粒度が異なる場合、次のいずれかの処理を行ってもよい。
【０１４０】
１．ＵＥ２ａは、２つの粒度の中から、小さい方の粒度を選択する。そして、ＵＥ２ａは、ｇＮＢ１から通知された２つのＴＡ  ｃｏｍｍａｎｄに対し、選択した小さい粒度を適用して、上り信号の送信タイミングを制御する。なお、ＵＥ２ａは、選択しなかった粒度を破棄してもよい。
【０１４１】
２．ＵＥ２ａは、２つのＴＡ  ｃｏｍｍａｎｄのそれぞれに、対応する粒度を適用して、上り信号の送信タイミングを制御する。または、ＵＥ２ａは、２つのＴＡ  ｃｏｍｍａｎｄのそれぞれに、２つの粒度のいずれか一方を優先的に適用し、上り信号の送信タイミングを制御する。
【０１４２】
３．ＵＥ２ａは、２つの粒度を破棄する。
【０１４３】
なお、上記では、１つの  ＴＡ  ｃｏｍｍａｎｄ  ＭＡＣ  ＣＥに２つのＳＣＳ  ＩＤと、２つのＴＡ  ｃｏｍｍａｎｄとが含まれるとしたが、ＵＥ２ａは、１つのＳＣＳ  ＩＤと、１つのＴＡ  ｃｏｍｍａｎｄとを含むＴＡ  ｃｏｍｍａｎｄ  ＭＡＣ  ＣＥを、２つ同時に受信してもよい。
【０１４４】
また、上記では、ＴＡ  ｃｏｍｍａｎｄ  ＭＡＣ  ＣＥに、２つのＳＣＳ  ＩＤと、２つのＴＡ  ｃｏｍｍａｎｄとが含まれるとしたが、これに限られない。ＴＡ  ｃｏｍｍａｎｄ  ＭＡＣ  ＣＥに、３以上のＳＣＳ  ＩＤと、３以上のＴＡ  ｃｏｍｍａｎｄとが含まれてもよい。
【０１４５】
また、ＵＥ２ａは、採用（選択）した粒度の情報または破棄した粒度の情報をｇＮＢ１に通知してもよい（e.g. ACK./NACK等）。上記では、ＵＥ２ａについて説明したが、ＵＥ２ｂについても同様である。
【０１４６】
（ＵＥが一部のＳＣＳをサポートしていない場合）
ＵＥ２ａ，２ｂは、複数存在するＳＣＳの一部をサポートしていない場合がある。例えば、ＵＥ２ａ，２ｂは、ＳＣＳ＃１５ｋＨｚ，３０ｋＨｚ，６０ｋＨｚ，１２０ｋＨｚのうち、ＳＣＳ＃１２０ｋＨｚをサポートしていなかったり、ＳＣＳ＃６０ｋＨｚ，１２０ｋＨｚをサポートしていなかったりする場合がある。ＵＥ２ａ，２ｂは、サポートしていないＳＣＳを指定する制御信号（ＭＡＣ  ＣＥまたはＲＲＣ信号等）を受信した場合には、当該制御信号を破棄してもよい。また、ＵＥ２ａ，２ｂは、制御信号を破棄したことをｇＮＢ１に通知してもよい。
【０１４７】
（送信タイミング制御に必要な粒度が指定されない場合）
ＵＥ２ａ，２ｂには、ＮＷから指定された粒度より、細かい粒度が必要になるＳＣＳがＮＷから指定されなくてもよい。つまり、ＵＥ２ａ，２ｂは、実際に適用または設定されているＳＣＳよりも粗い粒度のＴＡ  ｃｏｍｍａｎｄが指定されても適切に動作できる。
【０１４８】
（ハードウェア構成）
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１４９】
例えば、本発明の一実施の形態におけるｇＮＢ１、ＵＥ２ａ，２ｂなどは、本発明の無線通信方法の処理を行うコンピュータとして機能してもよい。図２１は、本発明の一実施の形態に係るｇＮＢ１およびＵＥ２ａ，２ｂのハードウェア構成の一例を示した図である。上述のｇＮＢ１およびＵＥ２ａ，２ｂは、物理的には、プロセッサ１００１、メモリ１００２、ストレージ１００３、通信装置１００４、入力装置１００５、出力装置１００６、バス１００７などを含むコンピュータ装置として構成されてもよい。
【０１５０】
なお、以下の説明では、「装置」という文言は、回路、デバイス、ユニットなどに読み替えることができる。ｇＮＢ１およびＵＥ２ａ，２ｂのハードウェア構成は、図に示した各装置を１つ又は複数含むように構成されてもよいし、一部の装置を含まずに構成されてもよい。
【０１５１】
ｇＮＢ１およびＵＥ２ａ，２ｂにおける各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【０１５２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、ＵＥ２ａ，２ｂのタイミング制御部２５などは、プロセッサ１００１で実現されてもよい。
【０１５３】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ＵＥ２ａ，２ｂの機能は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【０１５４】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０１５５】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１５６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の下り信号送信部１１、上り信号受信部１２、上り信号送信部２１、下り信号受信部２２等は、通信装置１００４で実現されてもよい。
【０１５７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１５８】
また、プロセッサ１００１やメモリ１００２などの各装置は、情報を通信するためのバス１００７で接続される。バス１００７は、単一のバスで構成されてもよいし、装置間で異なるバスで構成されてもよい。
【０１５９】
また、ｇＮＢ１およびＵＥ２ａ，２ｂは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１６０】
（情報の通知、シグナリング）
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１６１】
（適応システム）
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１６２】
（処理手順等）
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１６３】
（基地局の操作）
本明細書において基地局によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード（例えば、MMEまたはS-GWなどが考えられるが、これらに限られない）によって行われ得ることは明らかである。上記において基地局以外の他のネットワークノードが１つである場合を例示したが、複数の他のネットワークノードの組み合わせ（例えば、MMEおよびS-GW）であってもよい。
【０１６４】
（入出力の方向）
情報等（「情報、信号」の項目参照）は、上位レイヤ（または下位レイヤ）から下位レイヤ（または上位レイヤ）へ出力され得る。複数のネットワークノードを介して入出力されてもよい。
【０１６５】
（入出力された情報等の扱い）
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【０１６６】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０１６７】
（態様のバリエーション等）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１６８】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１６９】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１７０】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１７１】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１７２】
（「システム」、「ネットワーク」）
本明細書で使用する「システム」および「ネットワーク」という用語は、互換的に使用される。
【０１７３】
（パラメータ、チャネルの名称）
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１７４】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１７５】
（基地局）
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【０１７６】
（移動局）
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１７７】
（用語の意味、解釈）
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１７８】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１７９】
参照信号は、ＲＳ（Reference Signal）と略称することもでき、適用される標準によってパイロット（Pilot）と呼ばれてもよい。また、補正用ＲＳは、ＴＲＳ（Tracking RS）、ＰＣ−ＲＳ（Phase Compensation RS）、ＰＴＲＳ（Phase Tracking RS）、Additional RSと呼ばれてもよい。また、復調用ＲＳ及び補正用ＲＳは、それぞれに対応する別の呼び方であってもよい。また、復調用ＲＳ及び補正用ＲＳは同じ名称（例えば復調ＲＳ）で規定されてもよい。
【０１８０】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１８１】
上記の各装置の構成における「部」を、「手段」、「回路」、「デバイス」等に置き換えてもよい。
【０１８２】
「含む(including)」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０１８３】
無線フレームは時間領域において１つまたは複数のフレームで構成されてもよい。時間領域において１つまたは複数の各フレームはサブフレーム、タイムユニット等と呼ばれてもよい。サブフレームは更に時間領域において１つまたは複数のスロットで構成されてもよい。スロットはさらに時間領域において１つまたは複数のシンボル（ＯＦＤＭ（Orthogonal Frequency Division Multiplexing）シンボル、ＳＣ-ＦＤＭＡ（Single Carrier-Frequency Division Multiple Access）シンボル等）で構成されてもよい。
【０１８４】
無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。
【０１８５】
例えば、ＬＴＥシステムでは、基地局が各移動局に無線リソース（各移動局において使用することが可能な周波数帯域幅、送信電力等）を割り当てるスケジューリングを行う。スケジューリングの最小時間単位をＴＴＩ（Transmission Time Interval）と呼んでもよい。
【０１８６】
例えば、１サブフレームをＴＴＩと呼んでもよいし、複数の連続したサブフレームをＴＴＩと呼んでもよいし、１スロットをＴＴＩと呼んでもよい。
【０１８７】
リソースユニットは、時間領域および周波数領域のリソース割当単位であり、周波数領域では１つまたは複数個の連続した副搬送波（subcarrier）を含んでもよい。また、リソースユニットの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースユニットで構成されてもよい。また、リソースユニットは、リソースブロック（ＲＢ：Resource Block）、物理リソースブロック（ＰＲＢ：Physical RB）、ＰＲＢペア、ＲＢペア、スケジューリングユニット、周波数ユニット、サブバンドと呼ばれてもよい。また、リソースユニットは、１つ又は複数のＲＥで構成されてもよい。例えば、１ＲＥは、リソース割当単位となるリソースユニットより小さい単位のリソース（例えば、最小のリソース単位）であればよく、ＲＥという呼称に限定されない。
【０１８８】
上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【０１８９】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０１９０】
（態様のバリエーション等）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１９１】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【０１９２】
本発明の一態様は、移動通信システムに有用である。
【符号の説明】
【０１９３】
１  ｇＮＢ
２ａ，２ｂ  ＵＥ
Ｃ１  セル
１１  下り信号送信部
１２  上り信号受信部
１３  受信信号復調部
１４  測定部
１５  ＣＣ管理部
１６  ＴＡＧ決定部
１７  下り信号生成部
２１  上り信号送信部
２２  下り信号受信部
２３  受信信号復調部
２４  測定部
２５  タイミング制御部
２６  上り信号生成部
３１，３２  ＭＡＣ  ＰＤＵ
【図１】
2019087319.tif 000003
【図２】
2019087319.tif 000004
【図３】
2019087319.tif 000005
【図４】
2019087319.tif 000006
【図５】
2019087319.tif 000007
【図６】
2019087319.tif 000008
【図７】
2019087319.tif 000009
【図８Ａ】
2019087319.tif 000010
【図８Ｂ】
2019087319.tif 000011
【図９】
2019087319.tif 000012
【図１０】
2019087319.tif 000013
【図１１】
2019087319.tif 000014
【図１２】
2019087319.tif 000015
【図１３】
2019087319.tif 000016
【図１４】
2019087319.tif 000017
【図１５】
2019087319.tif 000018
【図１６】
2019087319.tif 000019
【図１７】
2019087319.tif 000020
【図１８】
2019087319.tif 000021
【図１９】
2019087319.tif 000022
【図２０Ａ】
2019087319.tif 000023
【図２０Ｂ】
2019087319.tif 000024
【図２０Ｃ】
2019087319.tif 000025
【図２１】
2019087319.tif 000026
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
同じタイミングアドバンスグループ内における複数の上り帯域幅パートのサブキャリア間隔のうち最大のサブキャリア間隔に関連する粒度と、タイミングアドバンスコマンドと、に基づいて、上り送信タイミングを調整する制御部と、
前記上り送信タイミングに従って上り送信を行う送信部と、を備える端末。
【請求項２】
前記複数の上り帯域幅パートは、サービングセルの２つの上りリンクキャリア内にある、
請求項１に記載の端末。
【請求項３】
前記制御部は、前記タイミングアドバンスコマンドに前記最大のサブキャリア間隔に関連する粒度を乗算した値を用いて、前記上り送信タイミングを調整する、
請求項２に記載の端末。
【請求項４】
前記最大のサブキャリア間隔に関連する粒度は、前記最大のサブキャリア間隔より小さいサブキャリア間隔に関連する粒度より小さい、
請求項１から３のいずれか一項に記載の端末。
【請求項５】
端末は、
同じタイミングアドバンスグループ内における複数の上り帯域幅パートのサブキャリア間隔のうち最大のサブキャリア間隔に関連する粒度と、タイミングアドバンスコマンドと、に基づいて、上り送信タイミングを調整し、
前記上り送信タイミングに従って上り送信を行う、
端末の送信方法。
【手続補正３】
【補正対象書類名】明細書
【補正対象項目名】０００１
【補正方法】変更
【補正の内容】
【０００１】
本開示は、端末および端末の送信方法に関する。
【国際調査報告】
2019087319.tif 000027
2019087319.tif 000028
2019087319.tif 000029